【手続補正書】
【提出日】平成25年8月12日(2013.8.12)
【手続補正１】
【補正対象書類名】特許請求の範囲
【補正対象項目名】全文
【補正方法】変更
【補正の内容】
【特許請求の範囲】
【請求項１】
片側から延在する複数のバンドを有する本体部分と、
片側から延在する複数のバンドを有する突起部分と
を備え、前記本体部分から延在するバンドおよび前記突起部分から延在するバンドは、前記本体部分および前記突起部分が身体の四肢の周囲に巻き付けられた場合に、前記本体部分および前記突起部分を一緒に取り付け、
前記突起部分は、前記本体部分上に解放可能に取り付けられ、前記突起部分は、前記本体部分上の異なる場所に位置付け可能である、
治療用圧迫帯。
【請求項２】
前記本体部分および前記突起部分は、フックおよびループの締結具によって一緒に取り付けられる、請求項１に記載の治療用圧迫帯。
【請求項３】
前記本体部分および前記突起部分は、Ｄリングを使用して一緒に取り付けられる、請求項２に記載の治療用圧迫帯。
【請求項４】
前記本体部分から延在するバンドは、前記本体部分および前記突起部分が身体の四肢の周囲に一緒に巻き付けられた場合に、前記突起部分から延在するバンドの間に並置される、請求項１に記載の治療用圧迫帯。
【請求項５】
前記突起部分は、複数のフックおよびループの締結具タブによって前記本体部分に取り付けられる、請求項１に記載の治療用圧迫帯。
【請求項６】
前記バンドは、前記身体の四肢の正面を横切って延在し、前記突起部分は、前記身体の四肢の背面を横切って前記本体部分に取り付けられる、請求項１に記載の治療用圧迫帯。
【請求項７】
前記本体部分から延在するバンドは、前記突起部分から延在するバンドより少ない強度で接着する、請求項１に記載の治療用圧迫帯。
【請求項８】
前記本体部分は、測定指標によってマークされている、請求項１に記載の治療用圧迫帯。
【請求項９】
前記測定指標は、前記身体の四肢の円周に対応している、請求項８に記載の治療用圧迫帯。
【請求項１０】
前記突起部分は、前記本体部分に取り付けられる湾曲縁を有している、請求項１に記載の治療用圧迫帯。
【請求項１１】
前記突起の湾曲縁は、フックおよびループの締結具によって前記本体部分に取り付けられる、請求項１０に記載の治療用圧迫帯。
【請求項１２】
前記突起部分は、前記測定指標と整列される、請求項８に記載の治療用圧迫帯。
【請求項１３】
前記本体部分と前記突起部分との間に位置付けられている中間部分をさらに備えている、請求項１に記載の治療用圧迫帯。
【請求項１４】
前記本体部分および前記突起部分のうちの少なくとも１つは、前記身体の四肢に沿って、前記帯の長さを短縮するための切り取り部分を有している、請求項１に記載の治療用圧迫帯。
【請求項１５】
前記本体部分および前記突起部分が身体の四肢の周囲に一緒に巻き付けられた場合に、前記本体部分から延在するバンドは、前記突起部分に取り付けられ、前記突起部分から延在するバンドは、前記本体部分に取り付けられる、請求項１に記載の治療用圧迫帯。
【請求項１６】
前記本体部分および前記突起部分のうちの少なくとも１つに指向性縫目をさらに備え、前記指向性縫目は、前記身体の四肢に沿って走る高圧力および低圧力の交互チャネルを生成する、請求項１に記載の治療用圧迫帯。
【請求項１７】
治療用圧迫帯を身体の四肢に適合させるためのシステムであって、
前記システムは、身体の四肢の周囲に組み立てられるように構成された治療用圧迫帯を備え、前記治療用圧迫帯は、本体部分と突起部分とを備え、前記本体部分および前記突起部分のうちの少なくとも１つは、片側から延在する複数のバンドを有しており、前記組み立てることは、
（ｉ）前記突起部分を前記本体部分と整列させることと、
（ｉｉ）前記本体部分上に前記突起部分を取り付けることと、
（ｉｉｉ）前記身体の四肢の周囲に前記組み立てられる治療用圧迫帯を巻き付け、一方で前記バンドを締結し、それによって、前記身体の四肢の周囲に帯を固着することと
による、システム。
【請求項１８】
前記身体の四肢の周囲に治療用圧迫帯を組み立てることに先立って、前記身体の四肢の長さに沿って、異なる場所において前記身体の四肢の円周を測定するための手段をさらに備える、請求項１７に記載のシステム。
【請求項１９】
前記突起部分は、前記本体部分または前記突起部分のいずれかにおける測定指標を使用して、前記本体部分と整列させられるように構成されている、請求項１７に記載のシステム。
【請求項２０】
前記本体部分の使用されない部分は、前記身体の四肢の周囲に前記組み立てられる治療用圧迫帯を巻き付けることに先立って、廃棄されるように構成されている、請求項１７に記載のシステム。
【請求項２１】
前記本体部分から延在するバンドは、前記突起部分から延在するバンドの間に並置されるように構成されている、請求項１７に記載のシステム。
【請求項２２】
前記突起部分は、フックおよびループの締結具によって前記本体部分上に取り付けられるように構成されている、請求項１７に記載のシステム。
【請求項２３】
前記バンドは、フックおよびループの締結具によって前記本体部分から前記突起部分上に固着されるように構成されており、そして前記バンドは、フックおよびループの締結具によって前記突起部分から前記本体部分上に固着されるように構成されている、請求項１７に記載のシステム。
【請求項２４】
前記本体部分の一部は、前記バンドが延在する側と反対の側から切り離されるように構成されている、請求項２０に記載のシステム。
【請求項２５】
前記バンドは、前記身体の四肢の正面を横切って一緒に締結され、前記突起部分は、前記身体の四肢の背面を横切って前記本体部分に取り付けられる、請求項１７に記載のシステム。
【請求項２６】
前記本体部分と前記突起部分との取り付けは、前記身体の四肢の正面を横切って延在するバンドが、前記身体の四肢の背面を横切る前記突起部分と前記本体部分との取り付けより少ない強度で接着するように補強されるように構成されている、請求項２５に記載のシステム。
【請求項２７】
本体と、
前記本体の外部の接着タブと
を備え、
前記接着タブは、前記本体の外部の種々の場所に位置付けられることが可能であり、それによって、前記本体をそれ自身の上に折り重ねさせ、前記本体の円周を変化させる、
治療用圧迫帯。
【請求項２８】
前記本体の外部は、前記接着タブを位置付けるための測定指標を有している、請求項２７に記載の治療用圧迫帯。
【請求項２９】
前記本体の外部の周囲に巻き付く複数のバンドをさらに備え、前記複数のバンドは、前記帯を前記身体の四肢の周囲に緊締する、請求項２７に記載の治療用圧迫帯。
【請求項３０】
治療用圧迫帯を身体の四肢に適合させるためのシステムであって、
身体の四肢の周囲に位置付けられるように構成された治療用圧迫帯を備え、前記治療用圧迫帯は、その外部表面上に接着タブを伴う本体を備えており、
前記接着タブは、前記帯が、それ自身の上に折り重なり、治療用の圧迫を前記身体の四肢に適用するように、前記本体の外部上の場所に位置付けられるように構成されている、システム。
【請求項３１】
前記接着タブを位置付けることに先立って、前記身体の四肢の長さに沿って、異なる場所において前記身体の四肢の円周を測定するための手段をさらに含む、請求項３０に記載のシステム。
【請求項３２】
前記接着タブは、前記本体上の測定指標を使用して位置付けられるように構成されている、請求項３１に記載のシステム。
【請求項３３】
（ａ）本体部分と、
（ｂ）突起部分と
を備える治療用圧迫帯であって、前記突起部分および前記本体部分は、前記本体部分および前記突起部分が身体の四肢の周囲に巻き付けられた場合に、一緒に取り付けられ、前記突起部分は、前記本体部分上に解放可能に取り付けられ、前記突起部分は、前記本体部分上の異なる場所に位置付け可能であり、前記本体部分および前記突起部分は、前記帯が前記身体の四肢の輪郭に対して調節されることが可能であるように、一緒に締結される、
治療用圧迫帯。
【請求項３４】
前記本体部分と前記突起部分とは、前記身体の四肢の一方の側を横切って位置付けられたバンドによって、かつ、前記四肢の反対側に沿った前記本体部分と前記突起部分との間の締結タブによって一緒に締結される、請求項３３に記載の治療用圧迫帯。
【請求項３５】
前記締結タブを位置付けることが、前記帯を前記身体の四肢の輪郭に対して調節する、請求項３４に記載の治療用圧迫帯。
【請求項３６】
本体部分と、
突起部分と
を備える治療用圧迫帯であって、前記本体部分および前記突起部分のうちの少なくとも１つは、そこから延在する複数のバンドを有し、前記複数のバンドは、前記部分本体および前記突起部分が身体の四肢の周囲に巻き付けられた場合に、前記本体部分および前記突起部分を一緒に取り付け、前記突起部分は、前記本体部分上に解放可能に取り付けられ、前記突起部分は、前記本体部分上の異なる場所に位置付け可能である、
治療用圧迫帯。
【請求項３７】
前記本体部分および前記突起部分は、フックおよびループの締結具によって一緒に取り付けられる、請求項３６に記載の治療用圧迫帯。
【請求項３８】
前記本体部分および前記突起部分は、反対の部分におけるＤリングまたは孔を通過するバンドを使用して一緒に取り付けられる、請求項３７に記載の治療用圧迫帯。
【請求項３９】
治療用圧迫帯を身体の四肢に適合させるためのシステムであって、
前記システムは、前記身体の四肢の周囲に組み立てられるように構成された治療用圧迫帯を備え、前記治療用圧迫帯は、本体部分と突起部分とを備え、前記本体部分および前記突起部分のうちの少なくとも１つは、片側から延在する複数のバンド有しており、前記組み立てることは、
（ｉ）前記突起部分を前記本体部分と整列させることと、
（ｉｉ）前記本体部分上に前記突起部分を取り付けることと、
（ｉｉｉ）前記身体の四肢の周囲に前記組み立てられる治療用圧迫帯を巻き付け、一方で前記バンドを締結し、それによって、前記身体の四肢の周囲に帯を固着することと
による、システム。
【請求項４０】
前記突起部分は、前記本体部分または前記突起部分のいずれかにおける測定指標を使用することによって前記本体部分と整列させられるように構成されている、請求項３９に記載のシステム。